(57)【要約】      （修正有） 【課題】粘着テープや接着テープといった異種の素材を用いずに、アルミニウム箔のみで接続部２を形成すると共に、表面検査器で接続部２を認識しうるアルミニウム箔コイル１を提供する。【解決手段】このコイル１は、表面と裏面とで光沢差のあるアルミニウム箔を巻回してなる。アルミニウム箔は、少なくとも二枚の長尺状のアルミニウム箔Ａ，Ｂの長手方向端部ａ，ｂが接続部２を介して連結されてなる。接続部２は、箔Ａの長手方向端部ａの一部が、長手方向端縁に対して平行に折り返されている。そして、箔Ａの裏面が箔Ａの表面に現出している。一方、箔Ｂは折り返されずに、当初の状態のままである。この状態で、箔Ａの長手方向端部ａと、箔Ｂの長手方向端部ｂを積層する。この際、折り返されていない長手方向端部ａの裏面と、長手方向端部ｂの表面とを当接する。そして、適宜の箇所を溶接によって固定し、箔ＡとＢを連結する。【選択図】図３
0003128145.tif 000002
【実用新案登録請求の範囲】
【請求項１】
表面と裏面とで光沢差のあるアルミニウム箔を巻回してなるアルミニウム箔コイルにおいて、
該アルミニウム箔は、少なくとも二枚の長尺状のアルミニウム箔Ａ，Ｂの長手方向端部ａ，ｂが接続部を介して連結されてなり、
該接続部は、該アルミニウム箔Ａの長手方向端部ａの一部が、長手方向端縁に対して平行に折り返され、該アルミニウム箔Ａの裏面が該アルミニウム箔Ａの表面に現出した状態で、かつ、折り返されていない該長手方向端部ａの他部の裏面と該アルミニウム箔Ｂの長手方向端部ｂの表面とが当接積層された状態で、溶接によって固定されていることを特徴とするアルミニウム箔コイル。
【請求項２】
アルミニウム箔Ｂの長手方向端部ｂの一部も、長手方向端縁に対して平行に折り返され、該アルミニウム箔Ｂの表面が該アルミニウム箔Ｂの裏面に現出した状態となっている請求項１記載のアルミニウム箔コイル。
【請求項３】
表面が艶消面であり裏面が艶面であるか、又は、表面が艶面であり裏面が艶消面である請求項１又は２記載のアルミニウム箔コイル。
【考案の詳細な説明】
【技術分野】
【０００１】
本考案は、長尺状のアルミニウム箔が巻回されてなるアルミニウム箔コイルに関し、特に、長尺状のアルミニウム箔に接続部が存在するアルミニウム箔コイルに関するものである。
【背景技術】
【０００２】
従来より、長尺状（たとえば、数万メートル以上）のアルミニウム箔は、巻回されてコイルとして、各種生産工場に納入されている。そして、各種生産工場では、コイルを巻き戻しながら、アルミニウム箔を打ち抜いたり、裁断したりして、包装材料等の種々の物品を生産している。
【０００３】
各種生産工場では、なるべく長尺状のアルミニウム箔コイル、すなわち巻長さの長いアルミニウム箔コイルが要求される。なぜなら、巻長さが短いと、コイル交換のため、生産ラインを停止しなければならず、種々の物品の生産効率が低下するからである。
【０００４】
したがって、アルミニウム箔の生産業者は、連続した長尺状のアルミニウム箔コイルを生産すべく努力しているのであるが、以下のようなことから、連続した長尺状のものが得られにくいということがあった。すなわち、生産中にトラブルが生じて、アルミニウム箔が切断したり、又は、生産中或いは後に不良個所が発見されて、その箇所を除去するためにアルミニウム箔を切断しなければならないということがあった。
【０００５】
このような場合、アルミニウム箔の生産業者は、切断したアルミニウム箔の長手方向端縁同士を当接或いは積層した後、粘着テープや接着テープで貼り合わせて接続し、長尺状のアルミニウム箔として、コイルを生産している。このような切断したシート基材間を、粘着テープや接着テープで貼り合わせて接続し、連続した長尺状のものとして取り扱うことは、周知の技術である（特許文献１、段落番号０００４及び０００５）。
【０００６】
アルミニウム箔を接続する場合、粘着テープや接着テープの支持体として、透明なものを使用せずに、着色された支持体を用いている。これは、接続部を、アルミニウム箔の色合いとは異なる色合いにすることによって、各種生産工場に備えられた表面検査器で接続部であることを認識するためである。そして、認識された接続部を、使用できない部位として、取り除くためである。
【０００７】
【特許文献１】特開２００２−２４１７１７公報
【考案の開示】
【考案が解決しようとする課題】
【０００８】
しかしながら、粘着テープや接着テープには、粘着剤や接着剤が塗布されており、これがアルミニウム箔を汚染するという危険があった。たとえば、アルミニウム箔コイルが焼鈍されるような場合には、粘着剤が軟化したり、接着剤が溶融して、流れ出し、接続部以外の箇所に、粘着剤や接着剤が付着するということがあった。また、流れ出した粘着剤や接着剤によって、コイルの積層間が接着されてブロッキングが生じ、アルミニウム箔コイルを良好に巻き戻すことができないということもあった。
【課題を解決するための手段】
【０００９】
本考案は、上記課題を解決するために、粘着テープも接着テープといった異種の素材を用いることなく、アルミニウム箔のみで接続部を形成すると共に、表面検査器で接続部を認識しうるよう工夫したものである。
【００１０】
すなわち、本考案は、表面と裏面とで光沢差のあるアルミニウム箔を巻回してなるアルミニウム箔コイルにおいて、該アルミニウム箔は、少なくとも二枚の長尺状のアルミニウム箔Ａ，Ｂの長手方向端部ａ，ｂが接続部を介して連結されてなり、該接続部は、該アルミニウム箔Ａの長手方向端部ａの一部が、長手方向端縁に対して平行に折り返され、該アルミニウム箔Ａの裏面が該アルミニウム箔Ａの表面に現出した状態で、かつ、折り返されていない該長手方向端部ａの他部の裏面と該アルミニウム箔Ｂの長手方向端部ｂの表面とが当接積層された状態で、溶接によって固定されていることを特徴とするアルミニウム箔コイルに関するものである。
【００１１】
本考案で用いるアルミニウム箔は、表面と裏面とで光沢差を有するものを採用する。具体的には、いずれか一方が艶面で、他方が艶消面である。このように、表面と裏面が艶面と艶消面からなっているアルミニウム箔は、一般的に、重合圧延を行うことによって得ることができる。すなわち、二枚のアルミニウム箔地を重ね合わせて、冷間圧延を施すことにより、圧延ロールに当接した面が艶面となり、圧延ロールに当接しなかった面が艶消面となるのである。また、一枚のアルミニウム箔地を冷間圧延した場合であっても、一対の圧延ロールの上ロールと下ロールの素材を異種にしたり、表面状態を異ならしめることによって、上ロールに接した面（たとえば表面）の光沢と、下ロールに接した面（たとえば裏面）の光沢に差異を与えることもできる。
【００１２】
コイル１として巻回されているアルミニウム箔は、少なくとも二枚の長尺状のアルミニウム箔Ａ，Ｂからなる。少なくとも二枚であるから、三枚であっても四枚以上であってもよい。要するに、アルミニウム箔コイル１を使用する生産工場で要求される巻長さとなるように、複数枚使用する。
【００１３】
アルミニウム箔Ａの長手方向端部ａと、アルミニウム箔Ｂの長手方向端部ｂとは、接続部２を介して、連結されている。接続部２の構造は、たとえば図３に示したとおりである。すなわち、アルミニウム箔Ａの長手方向端部ａの一部は、長手方向端縁に対して平行に折り返されている。そして、アルミニウム箔Ａの裏面（図面の下方側の面）が、アルミニウム箔Ａの表面（図面の上方側の面）に現出した状態となっている。一方、アルミニウムＢの長手方向端部ｂは、図３においては、折り返されることなく、そのままの状態となっている。もちろん、図４に示すように、アルミニウムＢの長手方向端部ｂの一部が、長手方向端縁に対して平行に折り返されていてもよい。そして、アルミニウム箔Ｂの表面（図面の上方側の面）が、アルミニウムＢの裏面（図面の下方側の面）に現出した状態となっていてもよい。
【００１４】
以上のような状態で、アルミニウム箔Ａの長手方向端部ａの他部（折り返されていない部分）の裏面と、アルミニウム箔Ｂの長手方向端部ｂの表面とが当接積層される。そして、積層された箇所で溶接が施されて、固定される。溶接箇所は任意であるが、図３及び図4 においては、折り返し端縁及び長手端縁で溶接されている（墨黒部が溶接箇所である。）。
【００１５】
本考案に係るアルミニウム箔コイル１は、少なくとも二枚の長尺状のアルミニウム箔Ａ，Ｂが連結されて、所望の巻長さとなっている。したがって、包装材料等の種々の物品の生産工場において、連続生産に適したものである。
【考案の効果】
【００１６】
本発明に係るコイルのアルミニウム箔間の接続部は、粘着テープや接着テープといった異種の素材を用いずに、アルミニウム箔自体で接続されている。したがって、特にアルミニウム箔コイルを焼鈍したような場合であっても、粘着剤や接着剤でアルミニウム箔が汚染されたり、アルミニウム箔同士が接着してブロッキングを生じるのを防止しうるという効果を奏する。また、接続部は図３や図４に示した構造となっているため、アルミニウム箔の表面側であれば接続部のみにアルミニウム箔の裏面が現出することになる。そして、アルミニウム箔の表面と裏面とは、光沢差のあるものを使用している。したがって、表面検査器を通せば、直ちに接続部がどこであるかを認識できるので、コイルを使用する際に接続部を取り除くことができる。よって、本考案に係るアルミニウム箔コイルを用いれば、アルミニウム箔の汚染やブロッキングが防止しうると共に、容易に接続部を認識でき、使用の際に接続部を容易に取り除くことができるという効果を奏する。
【００１７】
また、接続部を図４に示した構造にすれば、アルミニウム箔の表面検査を表面側のみでなく、裏面側で行っても、接続部を認識できる。したがって、表面検査器の配置に自由度が生じ、より容易に接続部の認識及び接続部の除去を行うことができるという効果を奏する。
【図面の簡単な説明】
【００１８】
【図１】本考案の一例に係るアルミニウム箔コイルを一部巻き戻し、接続部が存在していることを表した平面図である。
【図２】図１のアルミニウム箔コイルの側面図である。
【図３】図２の接続部２を拡大した拡大側面図である。
【図４】本考案の他の例に係るアルミニウム箔コイルの接続部２を拡大した拡大側面図である。
【符号の説明】
【００１９】
１      アルミニウム箔コイル
２      接続部
Ａ      長尺状のアルミニウム箔
Ｂ      長尺状のアルミニウム箔
ａ      アルミニウム箔Ａの長手方向端部
ｂ      アルミニウム箔Ｂの長手方向端部
【図１】
0003128145.tif 000003
【図２】
0003128145.tif 000004
【図３】
0003128145.tif 000005
【図４】
0003128145.tif 000006